(57)【特許請求の範囲】
【請求項１】
ディスクを収納するディスク収納部と、
前記ディスク収納部に収納されているディスクの収納番号、ディスクのタイトル名及びディスクに収録されている収録曲名を含むデータを蓄積するデータメモリーと、
システム制御部と、
新規ディスク収納通知を前記システム制御部より入力するデータ管理部と、
前記新規ディスクを前記ディスク収納部に収納するに際して、前記データ管理部から前記新規ディスクに関する新規データの取得要求を受けて、データベースを有するホスト局への通信回線接続を通信回線を介して行い、前記データベースにアクセスして、前記データ管理部から要求された前記新規ディスクに関する前記新規データを取得し、前記データメモリーに前記新規データを蓄積する通信制御部とを備えたオートチェンジャー装置。
【請求項２】
通信制御部は、データ管理部からの新規データの取得要求を蓄積しており、ホスト局への通信回線接続が行われた後に、前記ホスト局のデータベースにアクセスを行って、前記データ管理部から要求された前記新規データを取得する機能を有する請求項１記載のオートチェンジャー装置。
【請求項３】
ホスト局のデータベースへのアクセスは、ディスクにあらかじめ記録されているＩＤコードを用いて行うことを特徴とする請求項１記載のオートチェンジャー装置。
【発明の詳細な説明】
【０００１】
【産業上の利用分野】
本発明は光ディスク再生機のオートチェンジャー装置に関するものである。
【０００２】
【従来の技術】
近年、オートチェンジャー装置は、特に光ディスク再生の分野で注目されている。
【０００３】
以下に、従来のオートチェンジャー装置について、ＣＤ再生用のオートチェンジャー装置を例にとって説明する。
【０００４】
図２はこの従来のオートチェンジャー装置のブロック図を示すものである。図２において、２１はシステム制御部であり、ディスクを再生するディスク再生部２２と複数のディスクを収納するディスク収納部２３を制御する。２５はデータ入力部を示し、使用者がこれを操作することでデータが入力され、システム制御部２１を介してデータメモリー２６に入力され記憶される。２４は表示部を示し、データメモリー２６に記憶されたデータをシステム制御部２１を介して入力し使用者に表示して報知する。
【０００５】
以上のように構成されたオートチェンジャー装置について、以下その動作について説明する。
【０００６】
ディスク収納部２３は、システム制御部２１からの制御により、指定された位置に収納されているディスクを取り出してディスク再生部２２に装着したり、逆に、取り外して収納する機能を持ち、ディスク再生部２２は、システム制御部２１からの制御により、装着されたディスクを再生する機能を持つ。
【０００７】
データメモリー２６には収納されているディスクに関するデータが記録されており、システム制御部２１はデータメモリー２６のデータを参照して、収納されているディスクに関する収納番号、タイトル名、収録曲名などのデータを表示部２４に表示している。データ入力部２５を通じて入力されたディスク収納番号、曲番号などの再生曲指定データは、システム制御部２１に送られ、システム制御部２１がディスク収納部２３とディスク再生部２２を制御して、再生曲指定データで指定された曲を再生する。
【０００８】
【発明が解決しようとする課題】
しかしながら上記の従来の構成では、使用者が新しいディスクをオートチェンジャー装置に収納しようとしたとき、そのディスクに関するデータをデータメモリー２６に入力しなければならない。ディスクのタイトル名や収録曲名などのデータを入力することは、一般の使用者にとって繁雑な作業であり、また、間違いも起こしやすいという問題点を有していた。
【０００９】
本発明は上記従来の問題点を解決するもので、使用者に繁雑な作業を強いること無く、新規に収納されたディスクに関するデータを得る機能を持つオートチェンジャー装置を提供することを目的とする。
【００１０】
【課題を解決するための手段】
この目的を達成するために本発明のオートチェンジャー装置は、ディスクを収納するディスク収納部と、ディスク収納部に収納されているディスクの収納番号、ディスクのタイトル名及びディスクに収録されている収録曲名を含むデータを蓄積するデータメモリーと、システム制御部と、新規ディスク収納通知をシステム制御部より入力するデータ管理部と、前記新規ディスクを前記ディスク収納部に収納するに際して、データ管理部から新規ディスクに関する新規データの取得要求を受けて、データベースを有するホスト局への通信回線接続を通信回線を介して行い、データベースにアクセスして、前記データ管理部から要求された前記新規ディスクに関する前記新規データを取得し、前記データメモリーに前記新規データを蓄積する通信制御部とを備えたものである。
【００１１】
【作用】
本発明は上記した構成により、新しいディスクを収納する場合に、通信制御部を通じて、ホスト局に存在するデータベースから、自動的にデータを取得してデータメモリーに追加記録することによって、使用者を繁雑なデータ入力作業から開放することができる。
【００１２】
【実施例】
以下本発明の一実施例について、図面を参照しながら説明する。
【００１３】
図１は本発明の第１の実施例におけるオートチェンジャー装置のブロック図を示すものである。図１において、２はディスク再生部、３はディスク収納部であり、システム制御部１によって制御されている。以上は従来例と同様なものである。６はデータ管理部であり、データメモリー７を管理して、システム制御部１の要求に従ってデータを送り出している。４は表示部を示し、システム制御部１から送られた収納ディスクに関するデータを表示する。５はデータ入力部で、使用者の指令をシステム制御部１に送っている。８は通信制御部であり、データ管理部６の制御によって、通信回線１１の接続操作を行い、ホスト局９に存在するデータベース１０にアクセスする。データベース１０には、市場に流通しているディスクに関するデータが蓄積されており、ディスクのＩＤコードなどによってデータを引き出すことができる。
【００１４】
以上のように構成された本実施例のオートチェンジャー装置について、以下その動作について説明する。
【００１５】
図１において、データメモリー７には、収納されているディスクの収納番号、タイトル名、収録曲名などのデータが記録されており、システム制御部１はデータ管理部６を通じてそのデータを取得し、表示部４に表示する。データ入力部５から、再生曲指定データがシステム制御部１に送られると、システム制御部１はディスク再生部２及びディスク収納部３を制御して、再生曲指定データで指定された曲が再生される。
【００１６】
データ入力部５から、新しいディスクの収納作業指令がシステム制御部１に入力された場合には、システム制御部１は、まずディスク収納部３を制御して新しいディスクをディスク再生部２に装着し、次にディスク再生部２を制御してディスクに記録されているＩＤコードを読み取り、そのディスクの収納番号を新規ディスク収納作業中であることの通知と共にデータ管理部６に送る。
【００１７】
データ管理部６では、受け取ったＩＤコードを通信制御部８に送り、通信制御部８に対して新規データ取得を指令する。
【００１８】
次に、通信制御部８は通信回線１１の接続操作を行って、ホスト局９への通信経路を確立し、ホスト局９に前記のＩＤコードを送ることによって、データベース１０から新しいディスクに関するデータを受け取ってデータ管理部６に送る。
【００１９】
データ管理部６は、通信制御部８から受け取ったデータと、システム制御部１から受け取った収納番号をデータメモリー７に追加記録する。
【００２０】
上記の処理の間、使用者が行う操作は新規ディスクの収納指令操作だけである。
【００２１】
以上のように本実施例によれば、新しいディスクを収納する場合に、通信制御部を通じて、ホスト局に存在するデータベースから、新しいディスクに関するデータを自動的に取得してデータメモリーに記録することによって、使用者を繁雑なデータ入力作業から開放することができる。
【００２２】
なお、通信制御部８に上記ＩＤコードを一時的に記憶する機能を設ければ、通信回線１１の接続を使用者による手動で行い、接続が完了した後にホスト局のデータベースアクセスを行うようにすることも可能である。
【００２３】
【発明の効果】
以上のように本発明は、ディスクを収納するディスク収納部と、ディスク収納部に収納されているディスクの収納番号、ディスクのタイトル名及びディスクに収録されている収録曲名を含むデータを蓄積するデータメモリーと、システム制御部と、新規ディスク収納通知をシステム制御部より入力するデータ管理部と、前記新規ディスクを前記ディスク収納部に収納するに際して、データ管理部から新規ディスクに関する新規データの取得要求を受けて、データベースを有するホスト局への通信回線接続を通信回線を介して行い、データベースにアクセスして、前記データ管理部から要求された前記新規ディスクに関する前記新規データを取得し、前記データメモリーに前記新規データを蓄積する通信制御部とを備えることにより、新しいディスクを収納する場合に、通信制御部を通じて、ホスト局に存在するデータベースから新しいディスクに関するデータを自動的に取得して、データメモリーに新規にあるいは追加して記録することができ、使用者を繁雑なデータ入力作業から開放する優れたオートチェンジャー装置を実現できるものである。
【図面の簡単な説明】
【図１】本発明の実施例におけるオートチェンジャー装置のブロック図
【図２】従来のオートチェンジャー装置のブロック図
【符号の説明】
１  システム制御部
２  ディスク再生部
３  ディスク収納部
４  表示部
５  データ入力部
６  データ管理部
７  データメモリー
８  通信制御部
９  ホスト局
１０  データベース
【図１】
0003708149.tif 000002
【図２】
0003708149.tif 000003